(57)【要約】【課題】ロックが容易に解除されることがなく、ユーザにとって使い勝手の良いロック機能を備えた電子機器及びテレビジョン受像機を提供する。【解決手段】テレビジョン受像機１００において、第２受付手段（例えば、ＣＰＵ１５２、第２操作受付プログラム１５５ｃ等）は、操作入力部（例えば、リモコン２等）に備わるキーの押下操作により入力された操作信号の時間的な長さが、予め設定された期間内である場合にのみ、当該操作信号を有効とする。また、設定手段（例えば、ＣＰＵ１５２、設定プログラム１５５ａ）は、キーの押下操作により入力された操作信号の時間的な長さに関わらず、操作信号を有効とする第１受付手段（例えば、ＣＰＵ１５２、第１操作受付プログラム１５５ｂ）と、第２受付手段との何れを実行するかを選択させ、設定する。【選択図】図２
2007150500.tif 000002
【特許請求の範囲】
【請求項１】
複数のキーを備え、ユーザによる前記キーの操作に基づいて操作信号を出力する操作入力部と、
前記操作入力部から入力された前記操作信号の時間的な長さに関わらず、当該操作信号を有効とする第１受付手段と、
前記操作入力部から入力された前記操作信号の時間的な長さが、予め設定された期間内である場合にのみ、当該操作信号を有効とする第２受付手段と、
前記第１受付手段或いは前記第２受付手段の何れかを選択する選択手段と
前記期間を設定するための設定手段と、
前記操作入力部から入力されている前記操作信号の時間的な長さが前記期間内のときに、所定の報知を行う報知手段と、を備え、
前記設定手段は、キー毎に前記期間を個別に設定可能であることを特徴とするテレビジョン受像機。
【請求項２】
複数のキーを備え、ユーザによる前記キーの操作に基づいて操作信号を出力する操作入力部と、
前記操作入力部から入力された前記操作信号の時間的な長さが、予め設定された期間内である場合にのみ、当該操作信号を有効とする操作信号受付手段と、
を備えることを特徴とする電子機器。
【請求項３】
複数のキーを備え、ユーザによる前記キーの操作に基づいて操作信号を出力する操作入力部と、
前記操作入力部から入力された前記操作信号の時間的な長さに関わらず、当該操作信号を有効とする第１受付手段と、
前記操作入力部から入力された前記操作信号の時間的な長さが、予め設定された期間内である場合にのみ、当該操作信号を有効とする第２受付手段と、
前記第１受付手段或いは前記第２受付手段の何れかを選択する選択手段と、
を備えることを特徴とする電子機器。
【請求項４】
前記期間を設定するための設定手段を備えることを特徴とする請求項２又は３に記載の電子機器。
【請求項５】
前記設定手段は、キー毎に前記期間を個別に設定可能であることを特徴とする請求項４に記載の電子機器。
【請求項６】
前記操作入力部から入力されている前記操作信号の時間的な長さが前記期間内のときに、所定の報知を行う報知手段を備えることを特徴とする請求項２〜５の何れか一項に記載の電子機器。
【発明の詳細な説明】
【技術分野】
【０００１】
本発明は、電子機器及びテレビジョン受像機に関する。
【背景技術】
【０００２】
従来、テレビジョン受像機などの電子機器において、子供による勝手な操作を防止するためのロック機能を備えたものが様々開発されている。
ロック機能を備えた電子機器には、例えば、キーの押下時間を計測し、計測された押下時間が所定時間以上となった場合に、所定の処理を行うキー入力装置（特許文献１参照）や、リモコン本体の電源をオンオフするスライドスイッチを備え、当該スライドスイッチをオフの位置にしたときに、当該スライドスイッチを物理的に係止するロック機構を有するチャイルドロック付きリモコン（特許文献２参照）等の技術が知られている。
【特許文献１】特開平１０−２８９０４６号公報
【特許文献２】特開２００１−１４５１８２号公報
【発明の開示】
【発明が解決しようとする課題】
【０００３】
しかしながら、子供のいたずらには、キーを一瞬だけ押す場合の他、キーを長時間押し続ける場合もあり、そうした場合には、特許文献１に開示された技術では、ロックが解除されてしまうため、ロック機能として十分ではない。
また、特許文献２に開示された技術では、ロックをかける対象が力の無い幼児である場合には有効であるが、例えば、小学生以上であれば、スライドスイッチをスライドさせてロックを外すことも可能であるため、ロック機能として不十分である。
【０００４】
本発明の課題は、ロックが容易に解除されることがなく、ユーザにとって使い勝手の良いロック機能を備えた電子機器及びテレビジョン受像機を提供することである。
【課題を解決するための手段】
【０００５】
以上の課題を解決するため、請求項１に記載の発明は、テレビジョン受像機において、複数のキーを備え、ユーザによる前記キーの操作に基づいて操作信号を出力する操作入力部と、
前記操作入力部から入力された前記操作信号の時間的な長さに関わらず、当該操作信号を有効とする第１受付手段と、
前記操作入力部から入力された前記操作信号の時間的な長さが、予め設定された期間内である場合にのみ、当該操作信号を有効とする第２受付手段と、
前記第１受付手段或いは前記第２受付手段の何れかを選択する選択手段と
前記期間を設定するための設定手段と、
前記操作入力部から入力されている前記操作信号の時間的な長さが前記期間内のときに、所定の報知を行う報知手段と、を備え、
前記設定手段は、キー毎に前記期間を個別に設定可能であることを特徴とする。
【０００６】
請求項２に記載の発明は、電子機器において、複数のキーを備え、ユーザによる前記キーの操作に基づいて操作信号を出力する操作入力部と、
前記操作入力部から入力された前記操作信号の時間的な長さが、予め設定された期間内である場合にのみ、当該操作信号を有効とする操作信号受付手段と、
を備えることを特徴とする。
【０００７】
請求項３に記載の発明は、電子機器において、複数のキーを備え、ユーザによる前記キーの操作に基づいて操作信号を出力する操作入力部と、
前記操作入力部から入力された前記操作信号の時間的な長さに関わらず、当該操作信号を有効とする第１受付手段と、
前記操作入力部から入力された前記操作信号の時間的な長さが、予め設定された期間内である場合にのみ、当該操作信号を有効とする第２受付手段と、
前記第１受付手段或いは前記第２受付手段の何れかを選択する選択手段と、
を備えることを特徴とする。
【０００８】
請求項４に記載の発明は、請求項２又は３に記載の電子機器において、前記期間を設定するための設定手段を備えることを特徴とする。
【０００９】
請求項５に記載の発明は、請求項４に記載の電子機器において、前記設定手段は、キー毎に前記期間を個別に設定可能であることを特徴とする。
【００１０】
請求項６に記載の発明は、請求項２〜５の何れか一項に記載の電子機器において、前記操作入力部から入力されている前記操作信号の時間的な長さが前記期間内のときに、所定の報知を行う報知手段を備えることを特徴とする。
【発明の効果】
【００１１】
請求項１に記載の発明によれば、テレビジョン受像機において、第１受付手段により、操作入力部から入力された操作信号の時間的な長さに関わらず、当該操作信号が有効とされ、また、第２受付手段により、操作入力部から入力された操作信号の時間的な長さが、予め設定された期間内である場合にのみ、当該操作信号が有効とされる。従って、第２の受付手段の場合、限られた期間内の長さの操作信号だけしか受け付けないこととなって、ロックが容易に解除されることがなく、ユーザにとって使い勝手の良いロック機能を備えたテレビジョン受像機を提供することができる。
また、選択手段により第１受付手段或いは第２受付手段の何れかを選択することができるので、状況に応じて使い分けできることとなって、ユーザにとって便利なものとなる。
また、設定手段により、操作入力部から入力された操作信号の時間的な長さが有効とされる期間を、キー毎に個別に設定することができ、さらに、報知手段により、操作入力部から入力されている操作信号の時間的な長さが所定の期間内である場合に、所定の報知が行われるので、ユーザにとってより使い勝手が良いものとなる。
【００１２】
請求項２に記載の発明によれば、電子機器において、操作信号受付手段により、操作入力部から入力された操作信号の時間的な長さが、予め設定された期間内である場合にのみ、当該操作信号が有効とされるので、限られた期間内の長さの操作信号だけしか受け付けないこととなって、ロックが容易に解除されることがなく、ユーザにとって使い勝手の良いロック機能を備えた電子機器を提供することができる。
【００１３】
請求項３に記載の発明によれば、電子機器において、第１受付手段により、操作入力部から入力された操作信号の時間的な長さに関わらず、当該操作信号が有効とされ、また、第２受付手段により、操作入力部から入力された操作信号の時間的な長さが、予め設定された期間内である場合にのみ、当該操作信号が有効とされる。従って、第２の受付手段の場合、限られた期間内の長さの操作信号だけしか受け付けないこととなって、ロックが容易に解除されることがなく、ユーザにとって使い勝手の良いロック機能を備えた電子機器を提供することができる。
また、選択手段により第１受付手段或いは第２受付手段の何れかを選択することができるので、状況に応じて使い分けできることとなって、ユーザにとって便利なものとなる。
【００１４】
請求項４に記載の発明によれば、請求項２又は３に記載の発明の効果が得られるのは無論のこと、設定手段により、操作入力部から入力された操作信号の時間的な長さが有効とされる期間を設定することができるので、ユーザにとってより使い勝手の良いロック機能を備えた電子機器を提供することができる。
【００１５】
請求項５に記載の発明によれば、請求項４に記載の発明の効果が得られるのは無論のこと、設定手段により、操作入力部から入力された操作信号の時間的な長さが有効とされる期間を、キー毎に個別に設定することができるので、ユーザにとってより使い勝手の良いロック機能を備えた電子機器を提供することができる。
【００１６】
請求項６に記載の発明によれば、請求項２〜５の何れか一項に記載の発明の効果が得られるのは無論のこと、報知手段により、操作入力部から入力されている操作信号の時間的な長さが所定の期間内である場合に、所定の報知が行われるので、ユーザにとって使い勝手の良いロック機能を備えた電子機器を提供することができる。
【発明を実施するための最良の形態】
【００１７】
以下、本発明の実施の形態を、図面を参照して詳細に説明する。
なお、本実施の形態は、ロック機能を備えたテレビジョン受像機を用いて説明する。
【００１８】
まず、装置全体の構成を、図１を参照しながら説明する。
本実施形態のテレビジョン受像機１００は、例えば、テレビジョン放送信号（以下、放送信号という。）を受信し、受信された放送信号に基づく映像及び音声等を出力する受像機本体１と、ユーザが遠隔操作によって各種指示を入力するためのリモートコントロール装置（以下、リモコンという。）２と、を備えて構成されている。
受像機本体１の前面パネル３には、リモコン２からの操作信号を受信するとともに、当該操作信号を制御部１５に出力するリモコン信号受光部４と、ＬＥＤ（Light Emitting Diode）５と、が設けられている。ＬＥＤ５は、リモコン２から入力される操作信号が有効とされる期間内に点滅することにより、ロックモードにおいて、操作信号が有効とされる期間をユーザに報知するための報知手段として機能する。
【００１９】
ここで、ロックモードとは、後述する第２操作受付プログラム１５５ｃの実行より、リモコン２に備わるキーの押下操作により制御部１５に入力された操作信号の時間的な長さが、所定の期間内である場合にのみ、当該操作信号が有効とされ、当該キーに応じた操作が行われるモードのことである。
【００２０】
リモコン２は、例えば、受像機本体１の電源をオン／オフするためのオン／オフキー２ａと、音量を調節するためのボリュームキー２ｂと、チャンネルを変更するためのチャンネルキー２ｃと、それぞれに「０」〜「９」の数字が割り当てられ、チャンネル番号等を入力するためのテンキー２ｄと、入力を確定するための確定キー２ｅと、入力を消去するためのクリアキー２ｆと、各種メニュー画面を表示画面１３ａに表示させるためのメニューキー２ｇと、等を備え、それぞれのキーを押下すると、当該押下されたキーに対応する操作信号がリモコン信号受光部４を介して制御部１５に出力されるようになっており、操作入力部として機能する。
【００２１】
受像機本体１は、放送信号を受信するアンテナ６と、アンテナ６と接続され、アンテナ６により受信された放送信号から所定のチャンネルの放送信号を選局するチューナ７と、チューナ７により選局された放送信号を復調する復調器８と、復調器８により復調された放送信号を分離するデマルチプレクサ９と、デマルチプレクサ９により分離された放送信号を復号するデコーダ１０と、デコーダ１０により復号された放送信号に基づく音声・映像データに対して所定の処理を行う映像・音声処理部１１と、映像・音声処理部１１により処理された映像データにＯＳＤデータを付加するＯＳＤ回路１２と、映像・音声処理部１１により処理された映像信号を出力する映像出力部１３と、映像・音声処理部１１により処理された音声信号を出力する音声出力部１４と、受像機本体１全体を統括制御する制御部１５と、を備えている。
【００２２】
アンテナ６は、屋外において所定の方向に向けて配置されており、図示しないテレビジョン放送局から発信される高周波（ＲＦ）の放送信号（ＲＦ信号）を受信する。
【００２３】
チューナ７は、チャンネルの選局に関する制御部１５からの制御信号に応じて、アンテナ６によって受信されたＲＦ信号の中から選局されたチャンネルに対応する特定周波数帯に存在するＲＦ信号を受信する。そして、当該受信したＲＦ信号を所定の中間周波数を有する中間周波信号（ＩＦ信号）に変換して、復調器８に出力する。
【００２４】
復調器８は、制御部１５からの制御信号に従って、チューナ７から入力されたＩＦ信号に対して復調処理や、誤り訂正等の処理を行い、トランスポートストリーム（ＴＳ）を生成して、デマルチプレクサ９に出力する。
デマルチプレクサ９は、復調器８から入力されたトランスポートストリームを、ＭＰＥＧ２（Moving Picture Experts Group ２）規格下のビデオストリーム、オーディオストリーム及びＰＳＩ／ＳＩ（Program Specific Information/Service Information）等に分離するとともに、当該ビデオストリーム及びオーディオストリームをデコーダ１０に、ＰＳＩ／ＳＩに含まれるデータを制御部１５に供給する。
デコーダ１０は、図示しない映像デコーダ及び音声デコーダを備えて構成されている。映像デコーダは、デマルチプレクサ９から入力されたビデオストリームを復号し、逆ＤＣＴ変換や動き補償制御等を行い、映像データを生成する。一方、音声デコーダは、デマルチプレクサ９から入力されたオーディオストリームを復号して、音声データを生成する。映像デコーダ及び音声デコーダによって生成された映像／音声データは、映像・音声処理部１１に出力されることとなる。
【００２５】
映像・音声処理部１１は、デコーダ１０から入力された映像データ及び音声データに対して、Ｄ／Ａ変換等の各種処理を施し、映像信号及び音声信号を生成する。そして、当該映像信号を映像出力部１３に出力するとともに、当該音声信号を音声出力部１４に出力する。
ＯＳＤ回路１２は、制御部１５からの指示出力に応じて、ＲＯＭ１５５に格納された図示しないＯＳＤデータをデコーダ１０から出力された映像信号に合成する処理を行う。
【００２６】
映像出力部１３は、例えば、ＬＣＤ（Liquid Crystal Display）、ＰＤＰ（Plasma Display Panel）等の表示画面１３ａを備え、映像・音声処理部１１から入力された映像信号に基づく映像を表示画面１３ａに表示させる。
音声出力部１４は、例えば、スピーカ１４ａ等を備え、映像・音声処理部１１から入力された音声信号に基づく音声をスピーカ１４ａにより出力させる。
【００２７】
制御部１５は、Ｉ／Ｏポート１５１、ＣＰＵ（Central Processing Unit）１５２、メモリ部１５３、計時部１５４、ＲＯＭ（Read Only Memory）１５５等を備えて構成されている。
【００２８】
ＣＰＵ１５２は、受像機本体１の各部からＩ／Ｏポート１５１を介して入力された入力信号及びリモコン２の各種キーの押下操作によってリモコン信号受光部４及びＩ／Ｏポート１５１を介して入力された操作信号等に応じて、ＲＯＭ１５５に格納された各種プログラムを実行するとともに、Ｉ／Ｏポート１５１を介して各部に制御信号を出力することによって、テレビジョン受像機１００の動作全般を統括制御する。
【００２９】
計時部１５４は、後述する第２操作受付プログラム１５５ｃの実行に基づくロックモードにおいて、ユーザによりリモコン２に備わるキーが押下操作されると、当該キーの押下時間をカウントして、ＣＰＵ１５２にカウントした押下時間（Ｔ）を出力する。
【００３０】
ＲＯＭ１５５は、ＯＳＤデータの他、設定プログラム１５５ａ、第１操作受付プログラム１５５ｂ、第２操作受付プログラム１５５ｃ等の各種プログラムを格納している。
【００３１】
設定プログラム１５５ａは、例えば、ＣＰＵ１５２に、リモコン２のメニューキー２ｇの押下操作により制御部１５に入力された操作信号に基づいて、映像出力部１３の表示画面１３ａにメニュー画面を表示させ、当該メニュー画面に基づいて、ユーザに通常モード或いはロックモードの何れを設定するかを選択させる機能を実現させるためのプログラムである。
具体的には、ユーザにより、リモコン２のメニューキー２ｇが押下されて当該メニューキー２ｇに基づく操作信号が制御部１５に入力されると、ＣＰＵ１５２は、例えば、図３（ａ）に示すように、通常モードを設定するか或いはロックモードを設定するかを選択させるためのメニュー画面を表示画面１３ａに表示させる。当該メニュー画面において、通常モードが選択された場合には、第１操作受付プログラム１５５ｂが実行されることとなり、一方、ロックモードが選択された場合には、第２操作受付プログラム１５５ｃが実行されることとなる。
また、図示は省略するものの、通常モード及びロックモードを設定する際には、ＣＰＵ１５２は、暗証番号の入力をユーザに要求するための画面を表示画面１３ａに表示させ、ユーザにより入力された暗証番号が、予め記憶された暗証番号と一致した場合にのみ、通常モード或いはロックモードを選択して設定することができる。
ＣＰＵ１５２は、かかる設定プログラム１５５ａを実行することにより選択手段として機能する。
【００３２】
さらに、設定プログラム１５５ａは、例えば、ＣＰＵ１５２に、リモコン２のメニューキー２ｇの押下操作により制御部１５に入力された操作信号に基づいて、映像出力部１３の表示画面１３ａにメニュー画面を表示させ、当該メニュー画面に基づいて、ロックモードにおいて押下されたキーに基づいて制御部１５に入力された操作信号が有効とされる期間を、リモコン２に備わるキー毎に設定させる機能を実現させるためのプログラムである。
具体的には、ユーザにより，リモコン２のメニューキー２ｇが押下されて当該メニューキー２ｇに基づく操作信号が制御部１５に入力されると、ＣＰＵ１５２は、例えば、図３（ｂ）に示すように、リモコン２に備わる各種キーについて、それぞれのキー毎に、操作が有効とされる期間をユーザに設定させる。また、操作が有効とされる期間を設定しないことにより、所望のキーについてはロックをかけない設定を行うことも可能である。
それぞれのキーによる操作は、キーの押下時間（Ｔ）が、当該設定プログラム１５５ａの実行により設定された受付開始時間（Ｔ１）以上且つ受付終了時間（Ｔ２）未満の期間内であることを条件に有効とされる。
ＣＰＵ１５２は、かかる設定プログラム１５５ａを実行することにより設定手段として機能する。
【００３３】
第１操作受付プログラム１５５ｂは、例えば、ＣＰＵ１５２に、設定プログラム１５５ａの実行により設定された通常モードにおいて、リモコン２に備わる各種キーの押下操作により制御部１５に入力された操作信号に基づいて、受像機本体１の各部に各種制御信号を出力する機能を実現させるためのプログラムである。
ＣＰＵ１５２は、かかる第１操作受付プログラム１５５ｂを実行することにより第１受付手段として機能する。
【００３４】
第２操作受付プログラム１５５ｃは、例えば、ＣＰＵ１５２に、設定プログラム１５５ａの実行により設定されたロックモードにおいて、リモコン２に備わる各種キーの押下操作により制御部１５に入力された操作信号の時間的な長さが設定プログラム１５５ａの実行により設定された所定の期間内である場合にのみ、当該操作信号を有効とし、当該操作信号に基づいて、受像機本体１の各部に各種制御信号を出力する機能を実現させるためのプログラムである。
具体的には、ＣＰＵ１５２は、リモコン２に備わるキーが押下操作されて、当該キーに基づく操作信号「Ｈ」が制御部１５に入力されると、計時部１５４に、当該操作信号「Ｈ」に基づいてキーの押下時間のカウントを開始させ、キーの押下状態が解除されて、操作信号「Ｌ」が制御部１５に入力されると、押下時間のカウントを終了させる。そして、計時部１５４によりカウントされたキーの押下時間（Ｔ）が設定プログラム１５５ａの実行により設定された所定の期間（Ｔ１以上且つＴ２未満）内であるか否かを判断し、キーの押下時間（Ｔ）が所定の期間内である（Ｔ１以上且つＴ２未満）と判断した場合には、当該押下されたキーにより制御部１５に入力された操作信号を有効とし、当該操作信号に基づいて、各種制御信号を出力して制御を行う。一方、計時部１５４によりカウントされたキーの押下時間（Ｔ）が所定の期間内でない（Ｔ１未満或いはＴ２以上）と判断した場合には、当該押下されたキーにより制御部１５に入力された操作信号を無効とし、当該操作信号に基づく制御を行わないこととなる。
また、第２操作受付プログラム１５５ｃは、ＣＰＵ１５２に、キーの押下操作により制御部１５に入力されている操作信号が有効とされる所定の期間内に、ＬＥＤ５を点滅させることにより、所定の期間をユーザに報知させる機能を実現させるためのプログラムである。
ＣＰＵ１５２は、かかる第２操作受付プログラム１５５ｃを実行することにより第２受付手段（操作信号受付手段）及び報知手段として機能する。
【００３５】
メモリ部１５３は、図示しないＲＡＭ（Random Access Memory）を備え、ＣＰＵ１５２によって各種プログラムが実行される際に生じる処理結果や、入力されたデータ等を記憶する。また、メモリ部１５３は、ＥＥＰＲＯＭ（Electrically Erasable ROM）、フラッシュメモリ等の不揮発性メモリ（図示省略）を備えており、当該メモリ部１５３に、設定プログラム１５５ａの実行によりユーザにより設定されたものであって、キーの押下操作により入力された操作信号が有効とされる期間のデータが、リモコン２に備わるそれぞれのキーに対応づけられて格納されている。
【００３６】
次に、ロックモードが設定された場合のキー操作の受付処理について、図４を用いて、より具体的に説明する。
図４は、ロックモードが設定されることにより、第２操作受付プログラム１５５ｃが実行される場合において、キーの押下操作により制御部１５に入力された操作信号が有効とされる期間を示すタイミングチャートである。
第２操作受付プログラム１５５ｃの実行においては、リモコン２に備わるキーが押下操作されて、「Ｌ」レベルから「Ｈ」レベルとなった操作信号がＣＰＵ１５２に入力されると、ＣＰＵ１５２は、計時部１５４による押下時間のカウントを開始させる。そして、当該押下されたキーの押下状態が解除されて「Ｈ」レベルから「Ｌ」レベルとなった操作信号がＣＰＵ１５２に入力されると、ＣＰＵ１５２は、計時部１５４による押下時間のカウントを終了させる。計時部１５４によりカウントされた押下時間（Ｔ）は、ＣＰＵ１５２に出力され、ＣＰＵ１５２は、当該カウントされた押下時間（Ｔ）が、メモリ部１５３に格納された当該キーの押下操作による操作信号が有効とされる期間（Ｔ１以上且つＴ２未満）内であるか否かの判断に基づいて、当該操作信号が有効か否かを判断する。そして、カウントされた押下時間（Ｔ）がＴ１以上且つＴ２未満の場合（図４（ａ））、ＣＰＵ１５２は、当該操作信号を有効であると判断して、当該操作信号に基づく制御を行う。一方、カウントされた押下時間（Ｔ）がＴ２以上の場合（図４（ｂ））、或いはＴ１未満の場合（図４（ｃ））、ＣＰＵ１５２は、当該操作信号を無効であると判断して、当該操作信号に基づく制御を行わない。
より具体的には、例えば、チャンネルキー２ｃの押下操作によりＣＰＵ１５２に入力された操作信号に基づいて、カウントされた押下時間（Ｔ）が、メモリ部１５３に格納されたチャンネルキー２ｃの押下操作による操作信号が有効とされる期間（例えば、３秒以上且つ４秒未満）内である場合には、ＣＰＵ１５２は、当該操作信号を有効であると判断して、チャンネル変更のための制御信号をチューナ７等に出力する。一方で、チャンネルキー２ｃの押下操作によりＣＰＵ１５２に入力された操作信号に基づいて、カウントされた押下時間（Ｔ）が、メモリ部１５３に格納されたチャンネルキー２ｃの押下操作による操作信号が有効とされる期間（例えば、３秒以上且つ４秒未満）内でない場合（例えば、４秒以上或いは３秒未満である場合）には、ＣＰＵ１５２は、当該操作信号を無効であると判断して、チャンネル変更のための制御信号を出力しない。
【００３７】
以上説明した本発明にかかるテレビジョン受像機１００によれば、ＣＰＵ１５２による第１操作受付プログラム１５５ｂの実行により、リモコン２に備わるキーの押下操作により入力された操作信号の時間的な長さに関わらず、当該操作信号が有効とされ、また、ＣＰＵ１５２による第２操作受付プログラム１５５ｃの実行により、リモコン２に備わるキーの押下操作により入力された操作信号の時間的な長さが、予め設定された期間内である場合にのみ、当該操作信号が有効とされる。従って、第２操作受付プログラム１５５ｃの実行において、限られた期間内の長さの操作信号だけしか受け付けないことなって、ロックが容易に解除されることがなく、ユーザにとって使い勝手の良いロック機能を備えたテレビジョン受像機１００を提供することができる。
また、ＣＰＵ１５２による設定プログラム１５５ａの実行により第１操作受付プログラム１５５ｂ或いは第２操作受付プログラム１５５ｃの何れを実行するかを選択することができるので、状況に応じて使い分けできることとなって、ユーザにとって便利なものとなる。
また、ＣＰＵ１５２による設定プログラム１５５ａの実行により、リモコン２に備わるキーの押下操作により入力された操作信号の時間的な長さが有効とされる期間を、キー毎に個別に設定することができ、さらに、ＣＰＵ１５２による第２操作受付プログラム１５５ｃの実行により、リモコン２に備わるキーの押下操作により入力されている操作信号の時間的な長さが所定の期間内である場合に、ＬＥＤ５の点滅による報知が行われるので、ユーザにとってより使い勝手が良いものとなる。
【００３８】
なお、本発明は、上記実施の形態に限定されることなく、本発明の趣旨を逸脱しない範囲において、種々の改良並びに設計の変更を行っても良い。
例えば、本発明は、テレビジョン受像機１００を用いて説明したが、操作入力部による操作が行われる電子機器であれば良く、例えば、ＤＶＤ（Digital Versatile Disc）プレーヤ、携帯電話機等であっても良い。
また、本発明は、リモコン２から入力されている操作信号の時間的な長さが所定の期間である場合に、ＬＥＤ５の点滅による報知が行われる設計としたが、例えば、音声出力部１４から音声を出力させることにより報知してもよい。また、報知するか否かをユーザが設定可能な設計であっても良い。
また、ロックモードにおいて、例えば、ボリュームキー２ｂ等の任意のキーが押下操作され、入力された操作信号が有効とされた後は、当該キーについては、ロックモードを解除し得る設計であってもよい。
また、リモコン２に備わるキーが押下され、入力された操作信号が所定の回数（例えば、５回）無効とされた場合に、暗証番号の入力を要求する画面を表示させ、当該画面において正しい暗証番号が入力されるまで、操作信号の時間的な長さに関わらず、リモコン２による操作が一切無効とされる設計であっても良い。
【図面の簡単な説明】
【００３９】
【図１】本発明に係るテレビジョン受像機の受像機本体の正面図と、リモートコントロール装置の上面図である。
【図２】本発明に係るテレビジョン受像機の主要な内部構成を示すブロック図である。
【図３】設定プログラムの実行において、表示画面に表示されるメニュー画面を例示した図である。
【図４】ロックモードにおいて、キーの押下操作による操作信号が有効とされる期間を示すタイミングチャートである。
【符号の説明】
【００４０】
１００    テレビジョン受像機（電子機器）
２        リモコン（操作入力部）
５        ＬＥＤ（報知手段）
１５２    ＣＰＵ（第１受付手段、第２受付手段、操作信号受付手段、選択手段、設定手段、報知手段）
１５５ａ  設定プログラム（選択手段、設定手段）
１５５ｂ  第１操作受付プログラム（第１受付手段）
１５５ｃ  第２操作受付プログラム（第２受付手段、操作信号受付手段、報知手段）
【図１】
2007150500.tif 000003
【図２】
2007150500.tif 000004
【図３】
2007150500.tif 000005
【図４】
2007150500.tif 000006